(57)【要約】【課題】洗濯物を出し入れする開口部を大きく取ることができる洗濯機を得ることを目的とする。【解決手段】コントロールパネル４を上蓋３の表面に取り付けるように構成する。これにより、洗濯物を出し入れする開口部を大きく取ることができる効果を奏する。また、コントロールパネル４及び制御回路５が無線機を搭載し、その無線機を用いて制御信号を送受信するように構成する。これにより、コントロールパネル４を上蓋３の表面に取り付ける場合でも、耐久性を高めることができる効果を奏する。【選択図】        図１
2004261330.tif 000002
【特許請求の範囲】
【請求項１】
操作内容の選択を受け付けるコントロールパネルと、上記コントロールパネルにより選択された操作内容を実現する制御回路とを備えた洗濯機において、上記コントロールパネルを上蓋の表面に取り付けたことを特徴とする洗濯機。
【請求項２】
コントロールパネルを上蓋の表面の他に、そのコントロールパネルを上蓋の裏面に取り付けたことを特徴とする請求項１記載の洗濯機。
【請求項３】
コントロールパネルを上蓋の表面の前淵部に取り付けたことを特徴とする請求項１記載の洗濯機。
【請求項４】
コントロールパネル及び制御回路が無線機を搭載し、その無線機を用いて制御信号を送受信することを特徴とする請求項１から請求項３のうちのいずれか１項記載の洗濯機。
【請求項５】
コントロールパネルを上蓋に対して着脱自在に取り付けたことを特徴とする請求項４記載の洗濯機。
【請求項６】
操作内容の選択を受け付けるコントロールパネルと、上記コントロールパネルにより選択された操作内容を実現する制御回路とを備えた洗濯機において、上記コントロールパネルを筐体の正面に取り付けたことを特徴とする洗濯機。
【発明の詳細な説明】
【０００１】
【発明の属する技術分野】
この発明は、洗濯物を出し入れする開口部を大きく取れる洗濯機に関するものである。
【０００２】
【従来の技術】
従来の洗濯機は、操作内容の選択を受け付けるコントロールパネルを筐体の上部に取り付けられている（以下の特許文献１を参照）。
【０００３】
【特許文献１】
特開２００２−１１２７６公報（段落番号［００１４］から［００１８］、図１）
【０００４】
【発明が解決しようとする課題】
従来の洗濯機は以上のように構成されているので、ユーザは容易に操作内容を選択することができる。しかし、コントロールパネルを筐体の上部に取り付けられているため、洗濯物を出し入れする開口部を大きく取ることができないなどの課題があった。
【０００５】
この発明は上記のような課題を解決するためになされたもので、洗濯物を出し入れする開口部を大きく取ることができる洗濯機を得ることを目的とする。
【０００６】
【課題を解決するための手段】
この発明に係る洗濯機は、コントロールパネルを上蓋の表面に取り付けるようにしたものである。
【０００７】
【発明の実施の形態】
以下、この発明の実施の一形態を説明する。
実施の形態１．
図１はこの発明の実施の形態１による洗濯機を示す断面図であり、図２はこの発明の実施の形態１による洗濯機の上蓋を示す平面図である。
図において、洗濯槽２は筐体１の内部に設置され、洗濯物が投入される。上蓋３は筐体１に係合され、洗濯物を出し入れする際にユーザにより開閉される。コントロールパネル４は洗濯機の操作内容の選択を受け付け、現在の操作状況等を表示する。制御回路５は筐体１の空きスペースに設置され、コントロールパネル４により選択された操作内容を実現する。
【０００８】
次に動作について説明する。
この実施の形態１の洗濯機は、図１に示すように、上蓋３の表面にコントロールパネル４が取り付けられている。このため、図３の洗濯機のように、筐体１の上部にコントロールパネル４を取り付けるスペースが不要になるため、上蓋３を手前の方まで広げることができるため、洗濯物を出し入れする開口部を大きく取ることができる。
また、上蓋３を開いている状態では、コントロールパネル４も上蓋３と一緒に上がり、筐体１の手前側にコントロールパネル４が残らないため、手前側が低くなり、洗濯物の出し入れが容易になる。
【０００９】
ただし、コントロールパネル４を上蓋３の表面に取り付ける場合、一般的には、上蓋３と筐体１の係合部を介して、コントロールパネル４と制御回路５間の制御信号線を配線する必要がある。
この場合、上蓋３の度重なる開け閉めに伴って制御信号線が痛むおそれがあるため、この実施の形態１では、コントロールパネル４と制御回路５が伴に無線機を搭載し、その無線機を用いて制御信号を送受信するようにする。
これにより、上蓋３の開け閉めが行われても、制御信号線が痛むおそれがなく、耐久性が向上する。
【００１０】
以上で明らかなように、この実施の形態１によれば、コントロールパネル４を上蓋３の表面に取り付けるように構成したので、洗濯物を出し入れする開口部を大きく取ることができる効果を奏する。
また、この実施の形態１によれば、コントロールパネル４及び制御回路５が無線機を搭載し、その無線機を用いて制御信号を送受信するように構成したので、コントロールパネル４を上蓋３の表面に取り付ける場合でも、耐久性を高めることができる効果を奏する。
【００１１】
実施の形態２．
上記実施の形態１では、コントロールパネル４を上蓋３の表面に取り付けるものについて示したが、図４に示すように、さらに、コントロールパネル４と同様のコントロールパネル６を上蓋３の裏面にも取り付けるようにしてもよい。
これにより、上蓋３を開いている状態でも、操作内容を選択することができる効果を奏する。
ただし、コントロールパネル６を上蓋３の裏面に取り付ける場合、そのコントロールパネル６が水をかぶる可能性があるので、十分な防水加工を施す必要がある。
【００１２】
実施の形態３．
上記実施の形態１，２では、コントロールパネル４を上蓋３のほぼ中央部に取り付けるものについて示したが、図５に示すように、コントロールパネル４を上蓋３の表面の前淵部に取り付けるようにしてもよい。
これにより、背の低いユーザもコントロールパネル４に対する操作が容易になり、操作性を高めることができる効果を奏する。
【００１３】
実施の形態４．
上記実施の形態１〜３では、コントロールパネル４を上蓋３の表面に取り付けるものについて示したが、コントロールパネル４と制御回路５が無線機を搭載している場合には、図６に示すように、コントロールパネル４を上蓋３に対して着脱自在に取り付けるようにしてもよい。
これにより、コントロールパネル４をリモコンとして使用することができる効果を奏する。
【００１４】
実施の形態５．
上記実施の形態１〜４では、コントロールパネル４を上蓋３の表面に取り付けるものについて示したが、図７に示すように、コントロールパネル４を筐体３の正面に取り付けるようにしてもよく、この場合も洗濯物を出し入れする開口部を大きく取ることができる効果を奏する。
【００１５】
【発明の効果】
以上のように、この発明によれば、コントロールパネルを上蓋の表面に取り付けるように構成したので、洗濯物を出し入れする開口部を大きく取ることができる効果がある。
【図面の簡単な説明】
【図１】この発明の実施の形態１による洗濯機を示す断面図である。
【図２】この発明の実施の形態１による洗濯機の上蓋を示す平面図である。
【図３】筐体の上部にコントロールパネルが取り付けられている洗濯機を示す断面図である。
【図４】この発明の実施の形態２による洗濯機を示す断面図である。
【図５】この発明の実施の形態３による洗濯機の上蓋を示す平面図である。
【図６】この発明の実施の形態４による洗濯機の上蓋を示す平面図である。
【図７】この発明の実施の形態５による洗濯機を示す断面図である。
【符号の説明】
１  筐体、２  洗濯槽、３  上蓋、４，６  コントロールパネル、５  制御回路。
【図１】
2004261330.tif 000003
【図２】
2004261330.tif 000004
【図３】
2004261330.tif 000005
【図４】
2004261330.tif 000006
【図５】
2004261330.tif 000007
【図６】
2004261330.tif 000008
【図７】
2004261330.tif 000009